(57)【要約】【課題】天然物由来のオイル成分を有効成分とし、したがって安全性に懸念が無く、肌荒れの改善や皮膚の老化防止に優れた効果を発揮する新たな化粧石鹸を提供する。【解決手段】ゴマ種子由来の有効成分とした低温で圧搾したゴマ種子由来のゴマグリナン類と飽和脂肪酸と不飽和脂肪酸と酵素を有効成分とココナッツ油と含有する石鹸組成を有する肌に優しい植物性石鹸【選択図】図２
0003147476.tif 000002
【実用新案登録請求の範囲】
【請求項１】
低温で圧搾したゴマ種子由来のゴマグリナン類と飽和脂肪酸と不飽和脂肪酸と酵素を含有する皮膚に有効成分とココナッツ油とからなることを特徴とする肌に優しい植物性石鹸
【請求項２】
抗酸化剤のゴマリグナン類として、0.9重量％以上含有する高濃度含有物の形態で、セサミン、セサモリン、エピセサミン、セサモール、セサミノール、セサモリノールを含む、脂肪酸として、飽和脂肪酸のパルミチン酸とステアリン酸との総量を２０重量％以下、不飽和脂肪酸のオレイン酸を３0重量％以上とリノール酸を4０重量％以上で、不飽和脂肪酸の全量で８0％以上を含有し、酵素として、カタラーゼ、プロテアーゼ、ペプチダーゼであって、これらの酵素のうちいずれか一種類以上を含有しているゴマ種子から分離した含有物の形態で提供される請求項１記載の肌に優しい植物性石鹸
【請求項３】
ココナッツの油はココナッツを低温で圧搾して注したオイルであって、ラウリン酸、ミリスチン酸、カプリン酸、カプリル酸、パルミチン酸、ステアリン酸の脂肪酸を９５％以上含有している請求項１記載の肌に優しい植物性石鹸
【請求項４】
ココナッツ油とゴマ種子由来のゴマグリナン類を含有するセサミンオイルとの重量比率はココナッツ油１に対して０．５〜３の範囲である請求項１記載の肌に優しい植物性石鹸
【請求項５】
ココナッツ油とゴマ種子由来のゴマグリナン類を含有するセサミンオイルの混合物に温和なケン化条件維持のために、５０℃以下の低温の条件を保持しながら、苛性ソーダを添加したものである請求項４記載の肌に優しい植物性石鹸
【請求項６】
ココナッツ油とゴマ種子由来のゴマグリナン類を含有するセサミンオイルとの混合物にレットクレイ、セサミクレイのどちらか一方、あるいは両者を０．１〜２重量、芳香性の精油0.1〜10重量％添加している請求項４記載の肌に優しい植物性石鹸
【請求項７】
ココナッツ油とゴマ種子由来のゴマグリナン類を含有するセサミンオイルとの混合物に芳香性の精油を０．１〜１０重量％添加している請求項１〜６のいづれか一に記載の肌に優しい植物性石鹸
【考案の詳細な説明】
【技術分野】
【０００１】
本考案は薬効を持つ化粧石鹸に関し、更に詳しくは肌荒れの改善や皮膚の老化防止に優れた効果を有するゴマ種子由来のゴマグリナン類のセサミオイルとココナッツ油とを有効成分から得られた肌に優しい植物性石鹸に関する。
【背景技術】
【０００２】
従来、肌荒れの改善や皮膚の老化防止を目的として、乳液、クリーム、化粧水、パック、洗浄料、軟膏等、各種の化粧料が使用されている。かかる化粧石鹸の薬効成分としては、合成品、天然物からの抽出物、それらの誘導体等、多種多様な薬効成分が提案されており、なかでも安全性の面で天然物からの抽出物が多く提案されている（特開２０００−１１９１５５、特開平１１−１８０８８５、特開平１０−４５６１５）。しかしながら、これら天然物からの抽出物には、薬効成分の効果が不充分であったり、その効果にバラツキがあるという欠点がある。
【特許文献１】特開２００７−２１７４７９号
【特許文献２】特開２００７−１１２９４３号
【特許文献３】特開２００５−２６４１２８号
【特許文献４】特開２００５−８９６７５号
【特許文献５】特開平１０−１３０１３８号
【考案の開示】
【考案が解決しようとする課題】
【０００３】
本考案が解決しようとする課題は、天然物からの抽出物であって、ゴマ種子由来のゴマグリナン類と飽和脂肪酸と不飽和脂肪酸と酵素を含有する皮膚に有効成分とココナッツ油とからなる石鹸であり、肌荒れの改善や皮膚の老化防止に対する薬効成分の効果に優れ、その効果にバラツキが無い化粧石鹸を提供する処にある。
【課題を解決するための手段】
【０００４】
しかして本考案者らは上記の課題を解決するべく研究した結果、ゴマ種子由来のゴマグリナン類とココナッツ油との混合物で化粧料の薬効成分として正しく好適である化粧石鹸であることを見出した。
【０００５】
低温で圧搾したゴマ種子由来のゴマグリナン類と飽和脂肪酸と不飽和脂肪酸と酵素を含有する皮膚に有効成分とココナッツ油とからなることを特徴とする肌に優しい植物性石鹸
抗酸化剤のゴマリグナン類として、0.9重量％以上含有する高濃度含有物の形態で、セサミン、セサモリン、エピセサミン、セサモール、セサミノール、セサモリノールを含む、脂肪酸として、飽和脂肪酸のパルミチン酸とステアリン酸との総量を２０重量％以下、不飽和脂肪酸のオレイン酸を３0重量％以上とリノール酸を4０重量％以上で、不飽和脂肪酸の全量で８0％以上を含有し、酵素として、カタラーゼ、プロテアーゼ、ペプチダーゼであって、これらの酵素のうちいずれか一種類以上を含有しているゴマ種子から分離した含有物の形態で提供される肌に優しい植物性石鹸である。
【０００６】
ココナッツの油はココナッツを低温で圧搾して注したオイルであって、ラウリン酸、ミリスチン酸、カプリン酸、カプリル酸、パルミチン酸、ステアリン酸の脂肪酸を９５％以上含有している肌に優しい植物性石鹸である。
ココナッツ油とゴマ種子由来のゴマグリナン類を含有するセサミンオイルとの重量比率はココナッツ油１に対して０．５〜３の範囲である。
【０００７】
ココナッツ油とゴマ種子由来のゴマグリナン類を含有するセサミンオイルの混合物に温和なケン化条件維持のために、５０℃以下の低温の条件を保持しながら、苛性ソーダを添加したものである。
ココナッツ油とゴマ種子由来のゴマグリナン類を含有するセサミンオイルとの混合物にレットクレイ、セサミクレイのどちらか一方、あるいは両者を０．１〜２重量％添加している肌に優しい植物性石鹸である。
【０００８】
ココナッツ油とゴマ種子由来のゴマグリナン類を含有するセサミンオイルとの混合物に  芳香性の精油を０．１〜１０重量％添加している。芳香性の精油としては、ローズオイ  ル、バニラ・オレンジオイル、ミントオイル、ラベンダーオイルが使用される。
【考案の効果】
【０００９】
既に明らかなように、以上説明した本考案には、天然物であるゴマ種子由来のゴマグリ  ナン類とココナッツ油とを有効成分とし、したがって安全性に懸念が無く、肌荒れの改  善や皮膚の老化防止に優れた効果を発揮し、しかもその効果にバラツキが無い化粧料を  提供できるという効果がある。
【００１０】
石鹸は、美感がよく、香料による良好な匂いを生じて、芳香性がよい。また、石鹸   基材は、脂肪酸などのように、比較的柔らかい物質からできているので、カッターナ  イフなどを用いて所望の長さに簡単にカットすることができ、販売形態が多様になる。  
栄養価が高く抗酸化の高いゴマオイルを使用することで皮膚の活性と皮膚の老化抑えることが出来る。
泡立ちがよく天然グリセリンにより洗い上がりがしっとりする。化学物質を使用しないため石鹸物質が肌に浸透するのを防ぎすばやく洗い流せる。水による分解が早いため環境にやさしい石鹸である。
【考案を実施するための最良の形態】
【００１１】
上記目的は、美感が良好で、匂いが良好にすることにより、達成される。また、油脂を反応釜に入れて加熱する加熱工程と、該加熱工程で生成された溶解液を型枠に流し込む造形工程と、該造形工程で形成された形態を冷却，乾燥，熟成する固形化工程と、該固形化工程でクレイ粉末を混入させる工程とからなることによって、効果的に達成される。
【００１２】
さらに、オイル類の脂肪酸をアルカリで中和する中和工程と、該中和工程で形成された脂肪酸塩に添加する添加工程と、該添加工程で形成された物質を型枠に流し込む造形工程と、該造形工程で形成された物質を冷却，乾燥，熟成する固形化工程と、該固形化工程とからなることによって、より効果的に達成される。
【実施例１】
【００１３】
インドネシア産のココナッツオイル（２ｋｇ）とスリランカ産白ゴマからの低温圧搾抽出したセサミオイル（1ｋｇ）を２：１に混ぜて、３０℃の湯銭にかけ温める。これに２７％の水酸化ナトリウムの水溶液１２００ｃｃを十分に撹拌しながら徐々に添加した。添加時の温度は30℃以上にならないように調整しながらアルカリ成分を加える。この際約３０分間程度十分な撹拌を行なった。この液を型枠に入れて1週間程度熟成し、さらに型枠から出して3ヶ月熟成した後、製品の石鹸にした。
【００１４】
石鹸は、美感がよく、香料による良好な匂いを生じて、芳香性がよい。また、石鹸 基材は、脂肪酸などのように、比較的柔らかい物質からできているので、カッターナイフなどを用いて所望の長さに簡単にカットすることができ、販売形態が多様になる。
栄養価が高く抗酸化の高いゴマオイルを使用することで皮膚の活性と皮膚の老化抑えしわ・たるみなどを抑える事が出来る。
泡立ちがよく天然グリセリンにより洗い上がりがしっとりする。化学物質を使用しないため石鹸物質が肌に浸透するのを防ぎすばやく洗い流せる。また飽和脂肪酸のココナッツを使用する事でビロード状の皮膚を形成する事ができる。水による分解が早いため環境にやさしい石鹸である。
【実施例２】
【００１５】
スリランカ産のココナッツオイル（２ｋｇ）とスリランカ産白ゴマからの低温圧搾抽出したセサミオイル（1ｋｇ）を２：１に混ぜて、３０℃の湯銭にかけ温める。レットクレイの土５０ｇとラベンダーオイルを50ｇを加えて、これに２７％の水酸化ナトリウムの水溶液１２００ｃｃを十分に撹拌しながら徐々に添加した。添加時の温度は30℃以上にならないように調整しながらアルカリ成分を加える。この際約３０分間程度十分な撹拌を行なった。この液を型枠に入れて1週間程度熟成し、さらに型枠から出して3ヶ月熟成した後、製品の石鹸にした。
レッドクレイは毛穴のケア・黒ずみ・角質・老化物質を吸着させキメの細かい美しい肌を作る事が出来る。
ラベンダーの香りが脳をリラックスさせる。飽和脂肪酸のココナッツを使用する事でビロード状の皮膚を形成する事ができる。水による分解が早いため環境にやさしい石鹸である。
【実施例３】
【００１６】
インドネシア産のココナッツオイル（２ｋｇ）とスリランカ産白ゴマからの低温圧搾抽出したセサミオイル（1ｋｇ）を２：１に混ぜて、３０℃の湯銭にかけ温める。セサミクレイ（沈殿物）を5ｇを加えて、これに２７％の水酸化ナトリウムの水溶液１２００ｃｃを十分に撹拌しながら徐々に添加した。添加時の温度は30℃以上にならないように調整しながらアルカリ成分を加える。この際約３０分間程度十分な撹拌を行なった。この液を型枠に入れて1週間程度熟成し、さらに型枠から出して3ヶ月熟成した後、製品の石鹸にした
【００１７】
ゴマ沈殿物の中にはビタミンＢが豊富に含まれており皮膚形成に重要な栄養物質である
その栄養豊富な沈殿物とセサミの抗酸化物質使用することにより美白・しみ・皮膚形成に大いに役立つ石鹸ができる。
飽和脂肪酸のココナッツオイルを使用する事でビロード状の皮膚を形成する事ができる。水による分解が早いため環境にやさしい石鹸である。
【実施例４】
【００１８】
インドネシア産のココナッツオイル（２ｋｇ）とスリランカ産白ゴマからの低温圧搾抽出したセサミオイル（1ｋｇ）を１．５：１．５に混ぜて、３０℃の湯銭にかけ温める。これに２７％の水酸化ナトリウムの水溶液１２００ｃｃを十分に撹拌しながら徐々に添加した。添加時の温度は30℃以上にならないように調整しながらアルカリ成分を加える。この際約３０分間程度十分な撹拌を行なった。この液を型枠に入れて1週間程度熟成し、さらに型枠から出して3ヶ月熟成した後、製品の石鹸にした。
【図面の簡単な説明】
【００１９】
【図１】100ｇ石鹸
【図２】メッシュ袋包装石鹸
【符号の説明】
【００２０】
１．100ｇ石鹸
２．メッシュ包装石鹸
３．メッシュ袋
【図１】
0003147476.tif 000003
【図２】
0003147476.tif 000004
【手続補正書】
【提出日】平成20年10月27日(2008.10.27)
【手続補正１】
【補正対象書類名】実用新案登録請求の範囲
【補正対象項目名】全文
【補正方法】変更
【補正の内容】
【実用新案登録請求の範囲】
【請求項１】
低温で圧搾したゴマ種子由来のゴマグリナン類と飽和脂肪酸と不飽和脂肪酸と酵素を含有する皮膚に有効成分とココナッツ油とからなることを特徴とする肌に優しい植物性石鹸
【請求項２】
抗酸化剤のゴマリグナン類として、0.9重量％以上含有する高濃度含有物の形態で、セサミン、セサモリン、エピセサミン、セサモール、セサミノール、セサモリノールを含む、脂肪酸として、飽和脂肪酸のパルミチン酸とステアリン酸との総量を２０重量％以下、不飽和脂肪酸のオレイン酸を３0重量％以上とリノール酸を4０重量％以上で、不飽和脂肪酸の全量で８0％以上を含有し、酵素として、カタラーゼ、プロテアーゼ、ペプチダーゼであって、これらの酵素のうちいずれか一種類以上を含有しているゴマ種子から分離した含有物の形態で提供される請求項１記載の肌に優しい植物性石鹸
【請求項３】
ココナッツの油はココナッツを低温で圧搾して注したオイルであって、ラウリン酸、ミリスチン酸、カプリン酸、カプリル酸、パルミチン酸、ステアリン酸のうちいずれか１種類以上の脂肪酸を９５％以上含有している請求項１記載の肌に優しい植物性石鹸
【請求項４】
ココナッツ油とゴマ種子由来のゴマグリナン類を含有するセサミンオイルとの重量比率はココナッツ油１に対して０．５〜３の範囲である請求項１記載の肌に優しい植物性石鹸
【請求項５】
ココナッツ油とゴマ種子由来のゴマグリナン類を含有するセサミンオイルの混合物に温和なケン化条件維持のために、５０℃以下の低温の条件を保持しながら、苛性ソーダを添加したものである請求項４記載の肌に優しい植物性石鹸
【請求項６】
ココナッツ油とゴマ種子由来のゴマグリナン類を含有するセサミンオイルとの混合物にレットクレイ、セサミクレイのどちらか一方、あるいは両者を０．１〜２重量、芳香性の精油0.1〜10重量％添加している請求項４記載の肌に優しい植物性石鹸
【請求項７】
ココナッツ油とゴマ種子由来のゴマグリナン類を含有するセサミンオイルとの混合物に芳香性の精油を０．１〜１０重量％添加している請求項１〜６のいずれか一つに記載の肌に優しい植物性石鹸 
【手続補正２】
【補正対象書類名】明細書
【補正対象項目名】全文
【補正方法】変更
【補正の内容】
【考案の詳細な説明】
【技術分野】
【０００１】本考案は薬効を持つ化粧石鹸に関し、更に詳しくは肌荒れの改善や皮膚の老化防止に優れた効果を有するゴマ種子由来のゴマグリナン類のセサミオイルとココナッツ油とを有効成分から得られた肌に優しい植物性石鹸に関する。
【背景技術】
【０００２】従来、肌荒れの改善や皮膚の老化防止を目的として、乳液、クリーム、化粧水、パック、洗浄料、軟膏等、各種の化粧料が使用されている。かかる化粧石鹸の薬効成分としては、合成品、天然物からの抽出物、それらの誘導体等、多種多様な薬効成分が提案されており、なかでも安全性の面で天然物からの抽出物が多く提案されている（特開２０００−１１９１５５、特開平１１−１８０８８５、特開平１０−４５６１５）。【０００３】しかしながら、これら天然物からの抽出物には、薬効成分の効果が不充分であったり、その効果にバラツキがあるという欠点がある。【特許文献１】特開２００７−２１７４７９号
【特許文献２】特開２００７−１１２９４３号
【特許文献３】特開２００５−２６４１２８号
【特許文献４】特開２００５−８９６７５号
【特許文献５】特開平１０−１３０１３８号
【考案の開示】
【考案が解決しようとする課題】
【０００４】本考案が解決しようとする課題は、天然物からの抽出物であって、ゴマ種子由来のゴマグリナン類と飽和脂肪酸と不飽和脂肪酸と酵素を含有する皮膚に有効成分とココナッツ油とからなる石鹸であり、肌荒れの改善や皮膚の老化防止に対する薬効成分の効果に優れ、その効果にバラツキが無い化粧石鹸を提供する処にある。
【課題を解決するための手段】
【０００５】しかして本考案者らは上記の課題を解決するべく研究した結果、ゴマ種子由来のゴマグリナン類とココナッツ油との混合物で化粧料の薬効成分として正しく好適である化粧石鹸であることを見出した。【０００６】  低温で圧搾したゴマ種子由来のゴマグリナン類と飽和脂肪酸と不飽和脂肪酸と酵素を含有する皮膚に有効成分とココナッツ油とからなることを特徴とする肌に優しい植物性石鹸  抗酸化剤のゴマリグナン類として、0.9重量％以上含有する高濃度含有物の形態で、セサミン、セサモリン、エピセサミン、セサモール、セサミノール、セサモリノールを含む、脂肪酸として、飽和脂肪酸のパルミチン酸とステアリン酸との総量を２０重量％以下、不飽和脂肪酸のオレイン酸を３0重量％以上とリノール酸を4０重量％以上で、不飽和脂肪酸の全量で８0％以上を含有し、酵素として、カタラーゼ、プロテアーゼ、ペプチダーゼであって、これらの酵素のうちいずれか一種類以上を含有しているゴマ種子から分離した含有物の形態で提供される肌に優しい植物性石鹸である。【０００７】ココナッツの油はココナッツを低温で圧搾して注したオイルであって、ラウリン酸、ミリスチン酸、カプリン酸、カプリル酸、パルミチン酸、ステアリン酸のうちいずれか１種類以上の脂肪酸を９５％以上含有している肌に優しい植物性石鹸である。  ココナッツ油とゴマ種子由来のゴマグリナン類を含有するセサミンオイルとの重量比率はココナッツ油１に対して０．５〜３の範囲である。【０００８】ココナッツ油とゴマ種子由来のゴマグリナン類を含有するセサミンオイルの混合物に温和なケン化条件維持のために、５０℃以下の低温の条件を保持しながら、苛性ソーダを添加したものである。  ココナッツ油とゴマ種子由来のゴマグリナン類を含有するセサミンオイルとの混合物にレットクレイ、セサミクレイのどちらか一方、あるいは両者を０．１〜２重量％添加している肌に優しい植物性石鹸である。【０００９】ココナッツ油とゴマ種子由来のゴマグリナン類を含有するセサミンオイルとの混合物に芳香性の精油を０．１〜１０重量％添加している。芳香性の精油としては、ローズオイル、バニラ・オレンジオイル、ミントオイル、ラベンダーオイルが使用される。
【考案の効果】
【００１０】既に明らかなように、以上説明した本考案には、天然物であるゴマ種子由来のゴマグリナン類とココナッツ油とを有効成分とし、したがって安全性に懸念が無く、肌荒れの改善や皮膚の老化防止に優れた効果を発揮し、しかもその効果にバラツキが無い化粧料を提供できるという効果がある。【００１１】石鹸は、美感がよく、香料による良好な匂いを生じて、芳香性がよい。また、石鹸の基材は、脂肪酸などのように、比較的柔らかい物質からできているので、カッターナイフなどを用いて所望の長さに簡単にカットすることができ、販売形態が多様になる。  栄養価が高く抗酸化の高いゴマオイルを使用することで皮膚の活性と皮膚の老化抑えることが出来る。【００１２】泡立ちがよく天然グリセリンにより洗い上がりがしっとりする。化学物質を使用しないため石鹸物質が肌に浸透するのを防ぎすばやく洗い流せる。水による分解が早いため環境にやさしい石鹸である。
【考案を実施するための最良の形態】
【００１３】上記目的は、美感が良好で、匂いが良好にすることにより、達成される。また、油脂を反応釜に入れて加熱する加熱工程と、該加熱工程で生成された溶解液を型枠に流し込む造形工程と、該造形工程で形成された形態を冷却，乾燥，熟成する固形化工程と、該固形化工程でクレイ粉末を混入させる工程とからなることによって、効果的に達成される。【００１４】さらに、オイル類の脂肪酸をアルカリで中和する中和工程と、該中和工程で形成された脂肪酸塩に添加する添加工程と、該添加工程で形成された物質を型枠に流し込む造形工程と、該造形工程で形成された物質を冷却，乾燥，熟成する固形化工程と、該固形化工程とからなることによって、より効果的に達成される。
【実施例１】
【００１５】インドネシア産のココナッツオイル（２ｋｇ）とスリランカ産白ゴマからの低温圧搾抽出したセサミオイル（1ｋｇ）を２：１に混ぜて、３０℃の湯銭にかけ温める。これに２７％の水酸化ナトリウムの水溶液１２００ｃｃを十分に撹拌しながら徐々に添加した。添加時の温度は30℃以上にならないように調整しながらアルカリ成分を加える。この際約３０分間程度十分な撹拌を行なった。この液を型枠に入れて1週間程度熟成し、さらに型枠から出して3ヶ月熟成した後、製品の石鹸にした。【００１６】  石鹸は、美感がよく、香料による良好な匂いを生じて、芳香性がよい。また、石鹸の基材は、脂肪酸などのように、比較的柔らかい物質からできているので、カッターナイフなどを用いて所望の長さに簡単にカットすることができ、販売形態が多様になる。栄養価が高く抗酸化の高いゴマオイルを使用することで皮膚の活性と皮膚の老化抑えしわ・たるみなどを抑える事が出来る。【００１７】泡立ちがよく天然グリセリンにより洗い上がりがしっとりする。化学物質を使用しないため石鹸物質が肌に浸透するのを防ぎすばやく洗い流せる。また飽和脂肪酸のココナッツを使用する事でビロード状の皮膚を形成する事ができる。水による分解が早いため環境にやさしい石鹸である。
【実施例２】
【００１８】スリランカ産のココナッツオイル（２ｋｇ）とスリランカ産白ゴマからの低温圧搾抽出したセサミオイル（1ｋｇ）を２：１に混ぜて、３０℃の湯銭にかけ温める。レットクレイの土５０ｇとラベンダーオイルを50ｇを加えて、これに２７％の水酸化ナトリウムの水溶液１２００ｃｃを十分に撹拌しながら徐々に添加した。添加時の温度は30℃以上にならないように調整しながらアルカリ成分を加える。この際約３０分間程度十分な撹拌を行なった。この液を型枠に入れて1週間程度熟成し、さらに型枠から出して3ヶ月熟成した後、製品の石鹸にした。【００１９】レッドクレイは毛穴のケア・黒ずみ・角質・老化物質を吸着させキメの細かい美しい肌を作る事が出来る。ラベンダーの香りが脳をリラックスさせる。飽和脂肪酸のココナッツを使用する事でビロード状の皮膚を形成する事ができる。水による分解が早いため環境にやさしい石鹸である。
【実施例３】
【００２０】インドネシア産のココナッツオイル（２ｋｇ）とスリランカ産白ゴマからの低温圧搾抽出したセサミオイル（1ｋｇ）を２：１に混ぜて、３０℃の湯銭にかけ温める。セサミクレイ（沈殿物）を5ｇを加えて、これに２７％の水酸化ナトリウムの水溶液１２００ｃｃを十分に撹拌しながら徐々に添加した。添加時の温度は30℃以上にならないように調整しながらアルカリ成分を加える。この際約３０分間程度十分な撹拌を行なった。この液を型枠に入れて1週間程度熟成し、さらに型枠から出して3ヶ月熟成した後、製品の石鹸にした【００２１】ゴマ沈殿物の中にはビタミンＢが豊富に含まれており皮膚形成に重要な栄養物質であるその栄養豊富な沈殿物とセサミの抗酸化物質使用することにより美白・しみ・皮膚形成に大いに役立つ石鹸ができる。飽和脂肪酸のココナッツオイルを使用する事でビロード状の皮膚を形成する事ができる。水による分解が早いため環境にやさしい石鹸である。
【実施例４】
【００２２】インドネシア産のココナッツオイル（２ｋｇ）とスリランカ産白ゴマからの低温圧搾抽出したセサミオイル（1ｋｇ）を１．５：１．５に混ぜて、３０℃の湯銭にかけ温める。これに２７％の水酸化ナトリウムの水溶液１２００ｃｃを十分に撹拌しながら徐々に添加した。添加時の温度は30℃以上にならないように調整しながらアルカリ成分を加える。この際約３０分間程度十分な撹拌を行なった。この液を型枠に入れて1週間程度熟成し、さらに型枠から出して3ヶ月熟成した後、製品の石鹸にした。
【図面の簡単な説明】
【００２３】
【図１】100ｇ石鹸
【図２】メッシュ袋包装石鹸
【符号の説明】
【００２４】１．100ｇ石鹸２．メッシュ包装石鹸３．メッシュ袋